(57)【特許請求の範囲】
【請求項１】
被検者の頭部に装着して用いられるヘッドマウント型の視覚検査装置であって、
前記被検者に視標を表示するための表示素子と、前記被検者の眼球を撮像するための撮像素子と、を有する装置本体と、
前記装置本体を前記被検者の頭部に装着するための装着具と、
前記装着具を用いて前記被検者の頭部に装着した前記装置本体の位置ずれに伴う眼球の位置ずれ状態を前記被検者に認識させるべく、前記撮像素子が撮像する前記眼球の画像を前記表示素子に表示する制御部と、
を備えることを特徴とする視覚検査装置。
【請求項２】
前記制御部は、前記表示素子の表示面に表示枠を設定し、前記撮像素子が撮像する前記眼球の画像を前記表示枠に表示する
ことを特徴とする請求項１に記載の視覚検査装置。
【請求項３】
前記表示素子および前記撮像素子は、前記被検者の左眼用と右眼用でそれぞれ別々に設けられ、
前記制御部は、前記左眼用の撮像素子で撮像した左眼の画像と前記右眼用の撮像素子で撮像した右眼の画像を左右隣り合わせに並べるように合成し、該合成した左右両眼の画像を左眼用の表示素子と右眼用の表示素子にそれぞれ表示する
ことを特徴とする請求項１に記載の視覚検査装置。
【請求項４】
前記制御部は、前記左眼用の表示素子の表示面と前記右眼用の表示素子の表示面にそれぞれ左右隣り合わせに２つの表示枠を並べて設定し、前記被検者から見て左側の表示枠に前記左眼の画像、右側の表示枠に前記右眼の画像を表示する
ことを特徴とする請求項３に記載の視覚検査装置。
【請求項５】
前記制御部は、前記被検者に注視させるための固視標を、前記左眼の画像と前記右眼の画像との間に表示する
ことを特徴とする請求項３または４に記載の視覚検査装置。
【請求項６】
前記制御部は、前記眼球の瞳孔の位置を合わせるためのマークを前記表示枠内に表示する
ことを特徴とする請求項２または４に記載の視覚検査装置。
【請求項７】
前記被検者の眼球が配置される眼球位置と前記表示素子との間の光軸上に設けられた表示光学系と、
前記眼球位置と前記撮像素子との間の光軸上に設けられた観察光学系と、
を備え、
前記表示光学系は、前記眼球位置から前記表示素子までの光軸上に、第１レンズと、波長選択性を有するミラーと、第２レンズ群とを順に配置してなり、
前記観察光学系は、前記眼球位置から前記撮像素子までの光軸上に、前記第１レンズと、前記ミラーと、第３レンズとを順に配置してなり、前記眼球位置から前記ミラーまでの光軸が前記表示光学系と共通である
ことを特徴とする請求項１〜６のいずれかに記載の視覚検査装置。
【請求項８】
使用者の頭部に装着して用いられるヘッドマウント型表示装置であって、
前記使用者に画像を表示するための表示素子と、前記使用者の眼球を撮像するための撮像素子と、を有する装置本体と、
前記装置本体を前記使用者の頭部に装着するための装着具と、
前記装着具を用いて前記使用者の頭部に装着した前記装置本体の位置ずれに伴う眼球の位置ずれ状態を前記使用者に認識させるべく、前記撮像素子が撮像する前記眼球の画像を前記表示素子に表示する制御部と、
を備えることを特徴とするヘッドマウント型表示装置。
【発明の詳細な説明】
【技術分野】
【０００１】
本発明は、視覚検査装置およびヘッドマウント型表示装置に関する。
【背景技術】
【０００２】
眼の検査の一つに、眼の視覚機能を検査する「視覚検査」がある。また、視覚検査の代表的なものに「視野検査」がある。視野検査は、たとえば緑内障や網膜剥離などが原因で起こる視野狭窄、視野欠損などの診断のために行われるもので、そのための検査装置が種々提案されている。【０００３】
また、従来の視覚検査装置のなかには、被検者の頭部に装着して用いられるヘッドマウント型の視覚検査装置がある（たとえば、特許文献１，２を参照）。この種の視覚検査装置では、被検者の頭部に視覚検査装置を装着したときに、たとえば視覚検査装置が傾いて装着されるなどして、被検者の眼球の位置が予め想定されている規定の位置からずれることがある。その場合、そのままの状態で視覚検査を行うと、正確な検査結果が得られなくなる。【０００４】
そこで、たとえば特許文献１には、被検者の眼球（以下、「被検眼」という。）を視覚検査装置の本体部分（以下、「装置本体」という。）に内蔵するカメラで撮像し、これによって得られた眼球の画像を、装置本体とは別個のテレビモニタにアライメントマークと一緒に表示する技術が記載されている。この技術では、カメラが撮像する眼球の画像を、眼科医や眼科検査員などの検者が観察するテレビモニタに表示し、このテレビモニタ上で被検者の瞳孔がアライメントマークと同心円状になるように、装置本体の位置を調整するようになっている。
【先行技術文献】
【特許文献】
【０００５】
【特許文献１】特開平７−６７８３３号公報
【特許文献２】特開２０１４−１２８４９３号公報
【発明の概要】
【発明が解決しようとする課題】
【０００６】
しかしながら、上記特許文献１に記載の技術では、視覚検査装置の装置本体を被検者の頭部に装着したときに、装置本体が正しく装着されているかどうかを、検者がテレビモニタで確認する構成になっている。このため、被検者自身は、装置本体がずれて装着されていても、この事実を把握することができない。したがって、装置本体の位置調整は、検者がテレビモニタを見ながら被検者に指示を出し、この指示にしたがって被検者が装置本体を動かすことになる。そうした場合、装置本体の移動量や移動方向などの指示内容が検者の意図通りに被検者に伝わらないことがある。その結果、検者の意図しない方向に被検者が装置本体を動かしてしまったり、その移動量が適切でなかったりして、装置本体の位置調整に手間取ることがあった。また、検者は、装置本体の位置調整が済むまでテレビモニタを見続ける必要があるため、その間、他の業務を行えないという欠点もあった。【０００７】
本発明の主な目的は、視覚検査装置の装置本体を被検者の頭部に装着した際に、装置本体の位置調整にかかる検者の業務負担を軽減することができる視覚検査装置を提供することにある。
【課題を解決するための手段】
【０００８】
本発明の第１の態様は、被検者の頭部に装着して用いられるヘッドマウント型の視覚検査装置であって、
前記被検者に視標を表示するための表示素子と、前記被検者の眼球を撮像するための撮像素子と、を有する装置本体と、
前記装置本体を前記被検者の頭部に装着するための装着具と、
前記装着具を用いて前記被検者の頭部に装着した前記装置本体の位置ずれに伴う眼球の位置ずれ状態を前記被検者に認識させるべく、前記撮像素子が撮像する前記眼球の画像を前記表示素子に表示する制御部と、
を備えることを特徴とする視覚検査装置である。【０００９】
本発明の第２の態様は、前記制御部は、前記表示素子の表示面に表示枠を設定し、前記撮像素子が撮像する前記眼球の画像を前記表示枠に表示する
ことを特徴とする上記第１の態様に記載の視覚検査装置である。【００１０】
本発明の第３の態様は、前記表示素子および前記撮像素子は、前記被検者の左眼用と右眼用でそれぞれ別々に設けられ、
前記制御部は、前記左眼用の撮像素子で撮像した左眼の画像と前記右眼用の撮像素子で撮像した右眼の画像を左右隣り合わせに並べるように合成し、該合成した左右両眼の画像を左眼用の表示素子と右眼用の表示素子にそれぞれ表示する
ことを特徴とする上記第１の態様に記載の視覚検査装置である。【００１１】
本発明の第４の態様は、前記制御部は、前記左眼用の表示素子の表示面と前記右眼用の表示素子の表示面にそれぞれ左右隣り合わせに２つの表示枠を並べて設定し、前記被検者から見て左側の表示枠に前記左眼の画像、右側の表示枠に前記右眼の画像を表示する
ことを特徴とする上記第３の態様に記載の視覚検査装置である。【００１２】
本発明の第５の態様は、前記制御部は、前記被検者に注視させるための固視標を、前記左眼の画像と前記右眼の画像との間に表示する
ことを特徴とする上記第３または第４の態様に記載の視覚検査装置である。【００１３】
本発明の第６の態様は、前記制御部は、前記眼球の瞳孔の位置を合わせるためのマークを前記表示枠内に表示する
ことを特徴とする上記第２または第４の態様に記載の視覚検査装置である。【００１４】
本発明の第７の態様は、前記被検者の眼球が配置される眼球位置と前記表示素子との間の光軸上に設けられた表示光学系と、
前記眼球位置と前記撮像素子との間の光軸上に設けられた観察光学系と、
を備え、
前記表示光学系は、前記眼球位置から前記表示素子までの光軸上に、第１レンズと、波長選択性を有するミラーと、第２レンズ群とを順に配置してなり、
前記観察光学系は、前記眼球位置から前記撮像素子までの光軸上に、前記第１レンズと、前記ミラーと、第３レンズとを順に配置してなり、前記眼球位置から前記ミラーまでの光軸が前記表示光学系と共通である
ことを特徴とする上記第１〜第６の態様のいずれかに記載の視覚検査装置である。【００１５】
本発明の第８の態様は、使用者の頭部に装着して用いられるヘッドマウント型表示装置であって、
前記使用者に画像を表示するための表示素子と、前記使用者の眼球を撮像するための撮像素子と、を有する装置本体と、
前記装置本体を前記使用者の頭部に装着するための装着具と、
前記装着具を用いて前記使用者の頭部に装着した前記装置本体の位置ずれに伴う眼球の位置ずれ状態を前記使用者に認識させるべく、前記撮像素子が撮像する前記眼球の画像を前記表示素子に表示する制御部と、
を備えることを特徴とするヘッドマウント型表示装置である。
【発明の効果】
【００１６】
本発明によれば、視覚検査装置の装置本体を被検者の頭部に装着した際に、装置本体の位置調整にかかる検者の業務負担を軽減することができる。
【図面の簡単な説明】
【００１７】
【図１】本発明の実施の形態に係る視覚検査装置の構成例を示す概略図である。
【図２】本発明の実施の形態に係る視覚検査装置の光学系と制御系の構成を含む概略図である。
【図３】視覚検査装置がアライメントモードで動作するときの状態を示す模式図である。
【図４】表示枠内にマークを表示した状態を示す図である。
【図５】装置本体の位置調整に係る第１の典型例を示す図である。
【図６】装置本体の位置調整後の状態を示す図である。
【図７】装置本体の位置調整に係る第２の典型例を示す図である。
【図８】装置本体の位置調整に係る第３の典型例を示す図である。
【図９】本発明の他の実施の形態を説明する図である。
【図１０】表示光学系の他の構成例を示す概略図（その１）である。
【図１１】表示光学系の他の構成例を示す概略図（その２）である。
【発明を実施するための形態】
【００１８】
以下、本発明の実施の形態について図面を参照しつつ詳細に説明する。
本発明の実施の形態においては、次の順序で説明を行う。
１．視覚検査装置の構成
２．視覚検査モードに基づく視覚検査方法
３．アライメントモードに基づく装置本体の位置調整方法
４．実施の形態の効果
５．他の実施の形態
６．変形例等
【００１９】
＜１．視覚検査装置の構成＞
図１は本発明の実施の形態に係る視覚検査装置の構成例を示す概略図である。
図示した視覚検査装置１は、被検者２の頭部３に装着して用いられるヘッドマウント型の視覚検査装置である。視覚検査装置１は、大きくは、装置本体５と、この装置本体５に機械的に接続された装着具６と、を備えている。
【００２０】
装置本体５は、内部に空間を有する筐体７を備えている。筐体７の内部空間は、左右に分かれている。その理由は、被検者２の左眼８Ｌと右眼８Ｒで別々に視覚検査を行うためである。この視覚検査において、左眼８Ｌを被検眼とする場合は、被検者２が左眼８Ｌの瞳孔９Ｌを通して視標を見ることになり、右眼８Ｒを被検眼とする場合は、被検者２が右眼８Ｒの瞳孔９Ｒを通して視標を見ることになる。
【００２１】
ここで記述する「視標」とは、被検者の視覚を検査するにあたって、被検者の眼球に光による刺激を与えるために表示されるものである。視標に関しては、特に大きさ、形状等の制限はない。たとえば、緑内障検査の際には、所定の大きさで光の点を視標として表示するとともに、その光の点の位置を変化させることにより、欠損した視野の有無や欠損場所を検査（特定）することができる。
【００２２】
筐体７の一方の空間には、表示光学系１１Ｌと表示素子１２Ｌが設けられている。筐体７の他方の内部空間には、表示光学系１１Ｒと表示素子１２Ｒが設けられている。表示光学系１１Ｌと表示素子１２Ｌは、被検者２の左眼８Ｌの視覚検査を行うために設けられたものである。表示光学系１１Ｒと表示素子１２Ｒは、被検者２の右眼８Ｒの視覚検査を行うために設けられたものである。左右の表示光学系１１Ｌ，１１Ｒの光軸間距離は、図示しない調整機構により、被検者２の瞳孔間距離に合わせて調整可能になっている。
【００２３】
装着具６は、装置本体５を被検者２の頭部３に装着するためのものである。装着具６は、被検者２の両側頭部から後頭部にかけてＵ字形に掛け渡されるベルト１３と、被検者２の頭頂部に掛け渡されるベルト１４とを備えている。そして、ベルト１４の長さを適度に調整した状態で、ベルト１３を後頭部側から引っ張って締め付けることにより、被検者２の頭部３に装置本体５を装着可能な機構になっている。
上述した表示光学系１１Ｌ，１１Ｒの光軸間距離は、被検者２の頭部３に装着具６によって装置本体５を固定した後に、被検者２が正面を向いた状態での瞳孔間距離に合わせて調整する。
【００２４】
なお、以降の説明では、被検者２の左眼８Ｌと右眼８Ｒを左右の区別なく記載する場合は、符号Ｌ，Ｒを省略して眼球８、瞳孔９と総称する。これと同様に、上述した表示光学系１１Ｌ，１１Ｒと表示素子１２Ｌ，１２Ｒについても左眼用と右眼用の区別なく記載する場合は、それぞれ符号Ｌ，Ｒを省略して表示光学系１１、表示素子１２と総称する。
【００２５】
図２は本発明の実施の形態に係る視覚検査装置の光学系と制御系の構成を含む概略図である。
図示のように、視覚検査装置１は、上述した表示光学系１１と表示素子１２の他に、被検者の眼球８を観察するための観察光学系１５と、この観察光学系１５を通して被検者の眼球８を撮像する撮像素子１６と、被検者の眼球８に赤外線を照射する赤外光源１７と、視覚検査装置１全体の制御を司る制御部３０と、応答スイッチ３１と、を備えている。観察光学系１５、撮像素子１６および赤外光源１７は、上述した表示光学系１１や表示素子１２と同様に、被検者の左眼用と右眼用でそれぞれ別々に設けられ、制御部３０および応答スイッチ３１は、１つの視覚検査装置１につき一つずつ設けられるものである。
【００２６】
表示光学系１１は、被検者の眼球８が配置される眼球位置と表示素子１２の表示面１２ａとの間の光軸１８上に設けられている。具体的には、表示光学系１１は、被検者の眼球位置側から順に、第１レンズ１９と、ミラー２０と、第２レンズ群２１とを配置した構成になっている。以下、各構成要素について説明する。なお、以降の説明では、被検者の眼球位置から表示素子１２までの光軸１８のうち、眼球位置からミラー２０までの光軸を光軸１８ａとし、ミラー２０から表示素子１２までの光軸を光軸１８ｂとする。
【００２７】
第１レンズ１９は、眼球位置からミラー２０までの光軸１８ａ上に配置されている。第１レンズ１９は、正のパワーを有する非球面のレンズ（凸レンズ）を用いて構成されている。第１レンズ１９は、ミラー２０で反射して第１レンズ１９に入射した光を被検者の瞳孔９に収束させる一方、被検者が瞳孔９を通して広角に物を見るときの光の発散を抑制するものである。図２においては、表示素子１２の表示面１２ａに視標となる光の点を表示し、この視標を被検者が眼球位置から表示光学系１１を通して見るときに、被検者の瞳孔中心から第１レンズ１９へと入射する主光線の入射角度を符号θで表している。この入射角度θは、光軸１８ａを基準とする角度（瞳孔中心を通る主光線と光軸１８ａとがなす角度）である。光軸１８ａ上における第１レンズ１９の外径（直径）や位置は、少なくとも視覚検査に必要な視野角を確保し得る条件で設定されている。具体的には、第１レンズ１９を用いた表示光学系１１の最大視野角（θの最大値）は、好ましくは、半画角で３０度以上、６０度以下（全画角では６０度以上、１２０度以下）の範囲に設定するとよい。
【００２８】
ミラー２０は、眼球位置からミラー２０までの光軸１８ａ上において、第１レンズ１９を間に挟んで眼球位置とは反対側に配置されている。ミラー２０は、波長選択性を有するミラーを用いて構成されている。具体的には、ミラー２０は、可視光を反射し、赤外線を透過するコールドミラーを用いて構成されている。光軸１８ａに対するミラー２０の反射面の傾きは、このミラー２０によって屈曲される光軸１８ａと光軸１８ｂとのなす角度αが、好ましくは９０度未満、より好ましくは８０度未満、さらに好ましくは「４０度＜α＜７０度」の範囲となるように設定されている。
【００２９】
ここで、α≦４０°である場合は、表示素子１２や第２レンズ群２１が被検者の頭部に接近しすぎて、それらが頭部と干渉してしまうおそがある。これに対して、α＞４０°である場合は、表示素子１２や第２レンズ群２１が頭部と干渉することを回避することができる。一方、α≧９０°である場合は、被検者が頭部を前方に傾けた際に、視覚検査装置１が頭部からずれ落ちやすくなる。これに対して、α＜９０°である場合は、被検者が頭部を前方に傾けた際に、視覚検査装置１が頭部からずれ落ちにくくなる。
【００３０】
第２レンズ群２１は、ミラー２０から表示素子１２までの光軸１８ｂ上に配置されている。第２レンズ群２１は、３つのレンズ２１ａ，２１ｂ，２１ｃを用いて構成されている。３つのレンズ２１ａ，２１ｂ，２１ｃは、ミラー２０側から表示素子１２側に向かって順に配置されている。すなわち、レンズ２１ａは、光軸１８ｂ上でミラー２０に最も近い位置に配置され、レンズ２１ｃは、光軸１８ｂ上で表示素子１２に最も近い位置に配置されている。そして、これら２つのレンズ２１ａ、２１ｃの間にレンズ２１ｂが配置されている。レンズ２１ｂは、レンズ２１ａから離間した状態で、レンズ２１ｃの近くに配置されている。
【００３１】
レンズ２１ａは、正のパワーを有する非球面のレンズ（凸レンズ）を用いて構成されている。また、レンズ２１ｂは、負のパワーを有する非球面のレンズ（凹レンズ）を用いて構成され、レンズ２１ｃは、正のパワーを有する非球面のレンズ（凸メニスカスレンズ）を用いて構成されている。また、レンズ２１ａの外径（直径）は他のレンズ２１ｂ，２１ｃの外径よりも大きく、レンズ２１ｂ，２１ｃの外径は互いにほぼ等しくなっている。
【００３２】
ここで、上記第１レンズ１９を構成する材料のアッベ数をｖ１とすると、第１レンズ１９は、「４５＜ｖ１＜８０」の関係式を満たす材料（ガラス、プラスチックなど）で構成されている。一方、第２レンズ群２１を構成するレンズ２１ａ〜２１ｃのうち、正のパワーを有するレンズ２１ａ，２１ｃのアッベ数を共にｖ２とすると、各々のレンズ２１ａ，２１ｃは、「４５＜ｖ２＜８０」の関係式を満たす材料で構成されている。また、負のパワーを有するレンズ２１ｂのアッベ数をｖ３とすると、レンズ２１ｂは、「１５＜ｖ３＜３０」の関係式を満たす材料で構成されている。
また、第１レンズ１９の焦点距離をｆ１とし、第２レンズ群２１の焦点距離をｆ２とすると、これらは「０＜ｆ１／ｆ２＜１．０」の関係を満たしている。さらに、第１レンズ１９の焦点距離ｆ１は、第１レンズ１９からミラー２０までの光学距離ａと、ミラー２０から第２レンズ群２１（レンズ２１ａ）までの光学距離ｂとの和（ａ+ｂ）に比べて、それよりも短くなっている。
【００３３】
表示素子１２は、ミラー２０から表示素子１２までの光軸１８ｂ上で、第２レンズ群２１のレンズ２１ｃと対向するように配置されている。表示素子１２は、たとえば、バックライトを備える液晶表示素子等の平面型表示素子を用いて構成されている。表示素子１２の表示面１２ａは、多数のピクセルをマトリクス状に配置した構成になっている。そして、実際に表示面１２ａに画像（視標を含む）を表示するときには、ピクセル単位で画像の表示（オン）と非表示（オフ）を制御できるようになっている。また、表示素子１２の表示面１２ａは、好ましくは、対角長が１．５インチ以下の表示サイズ、より好ましくは対角長が１インチ以下の表示サイズになっており、この表示面１２ａの中心に光軸１８ｂが位置合わせされている。
【００３４】
上記構成からなる表示光学系１１および表示素子１２においては、表示素子１２の表示面１２ａに視標を表示したときに、被検者２が眼球位置から第１レンズ１９、ミラー２０および第２レンズ群２１を介して視標を見ることになる。その場合、眼球位置に最も近い第１レンズ１９の外径を大きくすれば、より広い範囲で視覚検査を行うことができる。ただし、第１レンズ１９の外径を大きくすると、そのレンズ端を通る主光線が光軸１８（１８ａ）に対して大きく傾くことになる。そのため、第１レンズ１９のパワーが低いと、レンズ端を通る主光線が発散してしまう。
【００３５】
そこで本実施の形態においては、第１レンズ１９に高いパワー（好ましくは、パワーが２０Ｄ（dioptre）以上、６０Ｄ以下）のレンズを用いることにより、第１レンズ１９のレンズ端を通る主光線を大きく屈折させてミラー２０の反射面に収めている。ただし、このように高パワーの第１レンズ１９を用いると、第１レンズ１９から第２レンズ群２１に至る光路の途中で主光線の光束が集光し焦点を結んでしまう。このため、光路の途中で焦点を結んだ主光線の光束を、表示素子１２の表示面１２ａで再度集光（結像）させるために、光軸１８ｂ上に第２レンズ群２１を配置している。また、色収差や像倍率を補正するために、第２レンズ群２１を３つのレンズ２１ａ，２１ｂ，２１ｃで構成している。
【００３６】
観察光学系１５は、被検者の眼球８を観察対象として、たとえば、瞳孔９、虹彩、強膜などを含む眼前部、あるいは、網膜１０を含む眼底部などを観察するためのものである。観察光学系１５は、被検者の眼球位置から撮像素子１６までの光軸１８上に設けられている。具体的には、観察光学系１５は、被検者の眼球位置側から順に、第１レンズ１９と、ミラー２０と、第３レンズ２２とを配置した構成になっている。このうち、第１レンズ１９とミラー２０は、光軸１８ａを含めて、上述した表示光学系１１と共通（共用）になっている。また、ミラー２０から撮像素子１６までの光軸を光軸１８ｃとすると、この光軸１８ｃは、上述した光軸１８ａと略平行になっている。
【００３７】
第３レンズ２２は、ミラー２０から撮像素子１６までの光軸１８ｃ上に配置されている。第３レンズ２２は、正のパワーを有する非球面のレンズ（凸レンズ）を用いて構成されている。第３レンズ２２は、第１レンズ１９を対物レンズとして眼球８を観察する場合に、眼球８から第１レンズ１９に入射し、かつミラー２０を透過する光を、撮像素子１６の撮像面１６ａに結像させるものである。
【００３８】
撮像素子１６は、被検眼となる眼球（前眼部、眼底部など）８を撮像するものである。撮像素子１６は、赤外線に対して感度を有するＣＣＤ（Charge Coupled Device）撮像素子、ＣＭＯＳ（Complementary Metal Oxide Semiconductor）撮像素子などを用いて構成されている。撮像素子１６の撮像面１６ａは、光軸１８ｃ上で眼球８に正対する向きに配置されて、この撮像面１６ａの中心に光軸１８ｃが位置合わせされている。
【００３９】
赤外光源１７は、被検者の眼球位置に向けて赤外線を照射するものである。赤外光源１７は、一対の赤外線発光ダイオード１７ａ，１７ｂを用いて構成されている。一対の赤外線発光ダイオード１７ａ，１７ｂは、被検者の視野を妨げないように、被検者の眼球位置に対して斜め上方と斜め下方に分けて配置されている。そして、一方の赤外線発光ダイオード１７ａは、被検者の眼球８に対して斜め上方から赤外線を照射し、他方の赤外線発光ダイオード１７ｂは、被検者の眼球８に対して斜め下方から赤外線を照射する構成になっている。
【００４０】
上記構成からなる観察光学系１５および撮像素子１６においては、被検者の眼球８に赤外光源１７から赤外線を照射しつつ、第１レンズ１９、ミラー２０および第３レンズ２２を介して眼球８の画像を撮像素子１６で撮像することになる。
【００４１】
制御部３０は、視覚検査に際して各種の機能（手段）を実現するものである。制御部３０は、たとえば、装置本体５よりも小さい筐体構造を有するもので、装着具６の後頭部側に装着して配置される。これにより、装置本体５と制御部３０との前後の重量バランスを保つことができる。
【００４２】
制御部３０は、ＣＰＵ（Central Processing Unit）、ＲＡＭ（Random Access Memory）、ＲＯＭ（Read Only Memory）、ＨＤＤ（Hard disk drive）、各種インタフェース等の組み合わせからなるコンピュータによって構成される。そして、制御部３０は、ＣＰＵがＲＯＭまたはＨＤＤに格納された所定のプログラムを実行することにより、各種の機能を実現するように構成されている。各機能を実現するための所定のプログラムは、コンピュータにインストールして用いられるが、そのインストールに先立ち、コンピュータで読み取り可能な記憶媒体に格納して提供されるものであってもよいし、あるいはコンピュータと接続する通信回線を通じて提供されるものであってもよい。
【００４３】
制御部３０は、上記プログラムの実行によって実現される機能（手段）の一例として、動作制御機能や画像処理機能を備える。動作制御機能は、装置本体５に内蔵された表示素子１２や撮像素子１６、赤外光源１７などの各部の動作を制御する機能である。画像処理機能は、撮像素子１６によって撮像された眼球８の画像に種々の画像処理を施す機能である。撮像素子１６によって撮像された眼球８の画像は、電子データ（以下、「画像データ」ともいう。）のかたちで制御部３０に取り込まれる。また、動作制御のための指示信号や眼球８の画像データは、有線または無線の通信回線を介してやり取りされる。
【００４４】
制御部３０は、動作制御のためのモードとして、少なくとも２つのモードを備える。一つはアライメントモードであり、もう一つは視覚検査モードである。このうち、アライメントモードは、装置本体５の位置調整のために行われるものである。具体的には、アライメントモードは、上記図１に示すように装着具６を用いて被検者２の頭部３に装着した装置本体５の位置が正規の位置からずれている場合に、装置本体５の位置を調整（修正）するために行われるものである。ここで記述する「正規の位置」とは、視覚検査に適した位置をいう。視覚検査モードは、被検者に視標を呈示して視覚検査を行うモードである。視覚検査モードに基づく視覚検査方法の具体的な内容については後述する。
【００４５】
動作制御のモードの切り替えは、たとえば次のような構成によって行えばよい。すなわち、制御部３０に無線または有線によって外部の端末装置を通信可能に接続する。そして、この端末装置から制御部３０にモード切り替え信号を入力し、このモード切り替え信号にしたがって制御部３０が動作制御のモードを切り替える構成とすればよい。アライメントモードは、基本的に、視覚検査モードの前に行われる。ただし、アライメントモードについては、必要に応じて、視覚検査モードの途中、あるいは視覚検査モードの終了後に行ってもよい。その理由は、視覚検査モードにより視覚検査を行っている途中で、たとえば被検者が装置本体５に触れたり頭部３を急に動かすなどして、装置本体５の位置がずれてしまうことが考えられるからである。
【００４６】
応答スイッチ３１は、被検者がスイッチング操作するものである。この応答スイッチ３１を被検者が押下操作すると、その瞬間に応答スイッチ３１からオン信号が出力される。このオン信号は制御部３０に取り込まれる。応答スイッチ３１は、被検者が手に持って操作する手動式とする。ただし、これに限らず、足踏み式のスイッチでもよい。
【００４７】
図３は視覚検査装置がアライメントモードで動作するときの状態を示す模式図である。
アライメントモードにおいて、制御部３０は、装着具６を用いて被検者の頭部３に装着した装置本体５の位置ずれに伴う眼球８の位置ずれ状態を被検者２自身に認識させるために、撮像素子１６が撮像する眼球８の画像を取り込んで表示素子１２に表示する。このとき、表示素子１２に表示する眼球８の画像は、リアルタイムの動画である。眼球８の位置ずれ状態とは、眼球８の位置が規定の位置からずれているかどうかといった位置ずれの有無のほか、位置ずれの方向、位置ずれの量などをいう。眼球８の位置ずれ状態を被検者２に認識させるにあたって、制御部３０は、一つの表示素子１２につき左右両眼の画像を表示する。以下、詳しく説明する。
【００４８】
制御部３０は、撮像素子１６Ｌが撮像する左眼８Ｌの画像と撮像素子１６Ｒが撮像する右眼８Ｒの画像を取り込むとともに、取り込んだ左眼８Ｌと画像と右眼８Ｒの画像を左右隣り合わせに並べるように合成する。この合成処理に際して、制御部３０は、表示素子１２Ｌの表示面１２ａＬに左右隣り合わせに２つの表示枠３３Ｌ，３３Ｒを並べて設定する。つまり、一つの表示面１２ａＬ内に２つの表示枠３３Ｌ，３３Ｒを設定する。そして、制御部３０は、装置本体５を頭部３に装着している被検者２から見て左側の表示枠３３Ｌに左眼８Ｌの画像を割り当てる一方、当該被検者２から見て右側の表示枠３３Ｒに右眼８Ｒの画像を割り当てるように、画像を合成する。これと同様に、制御部３０は、表示素子１２Ｒの表示面１２ａＲにも左右隣り合わせに２つの表示枠３３Ｌ，３３Ｒを並べて設定し、各々の表示枠３３Ｌ，３３Ｒに左眼８Ｌの画像と右眼８Ｒの画像を割り当てるように、画像を合成する。
【００４９】
上記合成処理に際して、２つの表示枠３３Ｌ，３３Ｒは、光軸１８に対する表示素子１２と撮像素子１６との位置関係により、次のように設定されている。すなわち、被検者２の頭部３に装置本体５を正しく装着し、かつ、被検者２が左右両眼で真っ直ぐ前方を見たときに、撮像素子１６Ｌで撮像した左眼８Ｌの瞳孔９Ｌが表示枠３３Ｌの中心部に位置し、撮像素子１６Ｒで撮像した右眼８Ｒの瞳孔９Ｒが表示枠３３Ｒの中心部に位置するように、左右の表示枠３３Ｌ，３３Ｒが設定されている。なお、一つの表示枠３３には、対応する撮像素子１６で撮像した眼球８の画像のうち、主として、瞳孔９とその周囲の虹彩が表示される。また、一つの表示面１２ａにおいて、表示枠３３の部分と後述する固視標３４の部分はそれぞれ適度な明るさで表示されるが、それ以外の部分は非表示（画像の表示をオフ状態）とされる。
【００５０】
制御部３０は、上記合成処理によって得られた画像を表示素子１２Ｌと表示素子１２Ｒの両方に表示する。これにより、表示素子１２Ｌには、左眼８Ｌの画像と右眼８Ｒの画像を含む合成画像が表示され、表示素子１２Ｒにも、それと同じ合成画像が表示される。
【００５１】
その際、制御部３０は、必要に応じて、図４に示すように、眼球８の瞳孔９の位置を合わせるためのマーク３５を表示枠３３内に表示する。具体的には、左側の表示枠３３Ｌの中心部にマーク３５Ｌを表示するとともに、右側の表示枠３３Ｒの中心部にマーク３５Ｒを表示する。マーク３５は、表示枠３３内で眼球８の画像の上に重ねて表示されるものである。マーク３５を表示するかどうかは、視覚検査装置１の条件設定により切り替え可能な構成としてもよい。
【００５２】
また、制御部３０は、各々の表示面１２ａＬ，１２ａＲに、被検者２に注視させるための固視標３４を表示（呈示）する。この固視標３４は、たとえば十字形の形状をなすもので、左右の表示枠３３Ｌ，３３Ｒに重ならないように、それら２つの表示枠３３Ｌ，３３Ｒの間（中間部）に表示される。これにより、被検者２から見て左側の表示枠３３Ｌに左眼８Ｌの画像を表示し、被検者２から見て右側の表示枠３３Ｒに右眼８Ｒの画像を表示した状態では、左眼８Ｌの画像と右眼８Ｒの画像との間に固視標３４が表示される。また、固視標３４は、各々の表示面１２ａＬ，１２ａＲの中心部（光軸１８ｂが位置合わせされる部分）に表示される。
【００５３】
続いて、本発明の実施の形態に係る視覚検査装置１の動作について説明する。
ここでは、まず、視覚検査モードに基づく視覚検査方法について説明し、その後で、アライメントモードに基づく装置本体の位置調整方法について説明する。
【００５４】
＜２．視覚検査モードに基づく視覚検査方法＞
上記構成からなる視覚検査装置１においては、動的量的視野検査（ゴールドマン視野検査）、静的量的視野検査、眼底視野検査（マイクロペリメトリー）、網膜電図検査（ＥＲＧ）その他の検査を行うことが可能である。ここでは一例として、静的量的視野検査を行う場合について説明する。
【００５５】
静的量的視野検査は、次のように行われる。まず、視野内の一点に視標を呈示し、その明るさを徐々に増していく。すると、視標がある明るさになると、被検者から視標が見えるようになる。そこで、被検者が視標を見えるようになったときの明るさに対応する値を、そのときに視標を呈示している点での網膜感度とする。そして、視野内の各点について同様の測定を行うことにより、視野内の網膜感度の相違を量的に調べ、マップを作成する。このような静的量的視野検査には、自覚式検査と他覚式検査がある。本実施の形態の視覚検査装置１を使用すれば、いずれの方式の検査も行うことができる。以下、説明する。
【００５６】
自覚式検査は、次のように行われる。まず、ヘッドマウント型の視覚検査装置１を被検者の頭部に装着するとともに、被検者の手に応答スイッチ３１を持たせる。次に、制御部３０の指令に基づき、表示素子１２の表示面１２ａの一点に視野検査用の視標を表示する。このとき、最初は視標の明るさを暗くしておき、その後、徐々に視標の明るさを増していく。そうすると、最初のうちは暗くて被検者から視標が見えなくても、視標がある明るさになると被検者の網膜が光の刺激に反応し、被検者から視標が見えるようになる。このため、被検者から視標が見えるようになったときに、被検者に応答スイッチ３１を押してもらう。被検者が応答スイッチ３１を押すと、制御部３０にオン信号が送られる。このオン信号を受けて、制御部３０は、所定の処理を行い、そのときの視標の点の明るさに対応する値をその点の網膜の感度とする。以降は、視野内の各点について同様の測定を行うことにより、視野内の網膜感度の相違を量的に調べ、網膜の感度マップを作成する。
【００５７】
他覚式検査は、次のように行われる。まず、ヘッドマウント型の視覚検査装置１を被検者の頭部に装着する。この場合は、被検者に応答スイッチ３１を持たせる必要はない。次に、制御部３０の指令に基づき、表示素子１２の表示面１２ａの一点に視野検査用の視標を表示する。このとき、最初は視標の明るさを暗くしておき、その後、徐々に視標の明るさを増していく。そうすると、最初のうちは暗くて被検者から視標が見えなくても、視標がある明るさになると被検者の網膜が光の刺激に反応し、被検者から視標が見えるようになる。
【００５８】
その際、被検者の瞳孔９の大きさ（瞳孔径）が視標の明るさに応じて変化する。具体的には、被検者の瞳孔９の径が縮小する。このときの眼球８の状態変化を撮像する。眼球８の撮像は、赤外光源１７から眼球８に向けて赤外線を照射し、これによって得られる眼球８の像光を、観察光学系１５（１９，２０，２２）を介して撮像素子１６の撮像面１６ａに結像させることにより行う。眼球８の撮像を開始するタイミングは、たとえば、表示面１２ａに視標を表示する前のタイミング、あるいは、視標の表示と同時に設定すればよい。ちなみに、人間の網膜は、赤外線に対して感度を持たないため、眼球８の状態変化に影響を与えることはない。
【００５９】
撮像素子１６を用いて撮像された眼球８の画像データは、制御部３０に取り込まれる。制御部３０は、視標の明るさを徐々に増やす過程で、被検者の瞳孔径が視標の明るさに反応して変化（縮小）したかどうかを、撮像素子１６から送り込まれる画像データに基づいて判断する。そして、被検者の瞳孔径が変化したと判断すると、そのときの視標の点の明るさに対応する値をその点の網膜上の感度とする。以降は、視野内の各点について同様の測定を自動的に次々と行うことにより、視野内の網膜上の感度の相違を量的に調べ、網膜上の感度マップを自動的に作成する。
【００６０】
また他覚式検査は、平面型表示素子１２の表示面１２ａの一点に明るい視標を表示し、瞳孔径の縮小の度合いを観察することにより感度マップを作成する単一閾上刺激法を用いても良い。
【００６１】
＜３．アライメントモードに基づく装置本体の位置調整方法＞
上記構成からなる視覚検査装置１においては、視覚検査の開始に先立って、被検者２の頭部３に装着した装置本体５の位置調整を次のように行う。
【００６２】
まず、制御部３０は、上述したように、撮像素子１６Ｌで撮像した左眼８Ｌの画像と撮像素子１６Ｒで撮像した右眼８Ｒの画像を合成し、この合成画像に固視標３４を付加して表示素子１２Ｌと表示素子１２Ｒに表示する。このとき、表示素子１２Ｌの表示面１２ａＬに設定した２つの表示枠３３Ｌ，３３Ｒのうち、左側の表示枠３３Ｌには左眼８Ｌの画像とマーク３５Ｌを表示し、右側の表示枠３３Ｒには右眼８Ｒの画像とマーク３５Ｒを表示する。これにより、装置本体５を頭部３に装着した被検者２は、左眼８Ｌと右眼８Ｒで同一の画像（合成画像）を同時に見ることになる。このとき、左右の光軸間距離が適切に調整されていれば、左眼８Ｌで見た画像と右眼８Ｒで見た画像がぴったり重なって見える。このため、被検者２の脳内では、表示素子１２Ｌに表示した画像と表示素子１２Ｒに表示した画像が、一つ統合された画像として認識される。
【００６３】
そうした状況で、検者は、被検者２に対して、左右２つの表示枠３３Ｌ，３３Ｒの間に表示されている固視標３４を注視するように、指示を出す。これにより、被検者２の両眼の視線がまっすぐに前方を向いた状態で固定される。このような固視状態のもとで、検者は、被検者の左眼８Ｌの瞳孔９Ｌが左側の表示枠３３Ｌのどの部分に表示されているか、また被検者の右眼８Ｒの瞳孔９Ｒが右側の表示枠３３Ｒのどの部分に表示されているかを被検者に確認してもらう。そして、左眼８Ｌの瞳孔９Ｌが表示枠３３Ｌの中心部からずれていたり、右眼８Ｒの瞳孔９Ｒが表示枠３３Ｌの中心部からずれていたりした場合は、装置本体５を適宜動かしてそのずれを解消するように、被検者に指示を出す。以下に、装置本体５の位置調整に係る典型例を幾つか挙げて説明する。
【００６４】
（第１の典型例）
第１の典型例は、装置本体５が上下いずれか一方にずれて装着された場合である。この場合は、たとえば装置本体５の位置が下側にずれていると、図５に示すように、左右の表示枠３３Ｌ，３３Ｒに表示される瞳孔９Ｌ，９Ｒの位置がそれぞれ被検者２から見て上側にずれる。このずれを修正する場合、被検者は、上側に装置本体５を動かす。これにより、装置本体５の動きに連動して瞳孔９Ｌ，９Ｒの位置が左右の表示枠３３Ｌ，３３Ｒ内でそれぞれ被検者２から見て下側に移動する。したがって、被検者２は、左右の表示枠３３Ｌ，３３Ｒに表示される瞳孔９Ｌ，９Ｒの位置を確認しながら装置本体５を動かすことにより、図６に示すように、左右の表示枠３３Ｌ，３３Ｒの中心部にそれぞれ瞳孔９Ｌ，９Ｒが位置するように装置本体５の位置を調整することができる。
【００６５】
（第２の典型例）
第２の典型例は、装置本体５が左右いずれか一方にずれて装着された場合である。この場合は、たとえば装置本体５の位置が被検者２の右側頭部側にずれていると、図７に示すように、左右の表示枠３３Ｌ，３３Ｒに表示される瞳孔９Ｌ，９Ｒの位置がそれぞれ被検者２から見て左側にずれる。このずれを修正する場合、被検者２は、左側頭部側に装置本体５を動かす。これにより、装置本体５の動きに連動して瞳孔９Ｌ，９Ｒの位置が左右の表示枠３３Ｌ，３３Ｒ内でそれぞれ被検者２から見て右側に移動する。したがって、被検者２は、左右の表示枠３３Ｌ，３３Ｒに表示される瞳孔９Ｌ，９Ｒの位置を確認しながら装置本体５を動かすことにより、上記図６に示すように、左右の表示枠３３Ｌ，３３Ｒの中心部にそれぞれ瞳孔９Ｌ，９Ｒが位置するように装置本体５の位置を調整することができる。
【００６６】
（第３の典型例）
第３の典型例は、被検者の左右両眼の瞳孔中心を通過する水平基準線に対して装置本体５が傾いて装着された場合である。この場合は、たとえば被検者２の右側頭部側が高位、左側頭部側が低位となる向きで装置本体５が傾いていると、図８に示すように、左側の表示枠３３Ｌに表示される瞳孔９Ｌの位置が被検者２から見て上側にずれ、右側の表示枠３３Ｒに表示される瞳孔９Ｒの位置が被検者２から見て下側にずれる。このずれを修正する場合、被検者２は、右側頭部側を下げ、左側頭部側を上げるように装置本体５を動かす。これにより、装置本体５の動きに連動して、左側の表示枠３３Ｌ内では瞳孔９Ｌの位置が被検者２から見て下側に移動し、右側の表示枠３３Ｒ内では瞳孔９Ｒの位置が被検者２から見て上側に移動する。したがって、被検者２は、左右の表示枠３３Ｌ，３３Ｒに表示される瞳孔９Ｌ，９Ｒの位置を確認しながら装置本体５を動かすことにより、上記図６に示すように、左右の表示枠３３Ｌ，３３Ｒの中心部にそれぞれ瞳孔９Ｌ，９Ｒが位置するように装置本体５の位置を調整することができる。
なお、本実施の形態では、好ましい例として、上記合成処理によって得られた左右両眼８Ｌ，８Ｒの合成画像を表示素子１２Ｌ，１２Ｒの両方に表示しているが、この合成画像については、いずれか一方の表示素子だけに表示してもよいし、左右の表示素子に交互に表示してもよい。
【００６７】
＜４．実施の形態の効果＞
本実施の形態に係る視覚検査装置１によれば、以下のような効果が得られる。
【００６８】
（１）装着具６を用いて被検者２の頭部３に装置本体５を装着した場合に、撮像素子１６が撮像する眼球８の画像を表示素子１２に表示することにより、装置本体５の位置ずれに伴う眼球８の位置ずれ状態を被検者２自身に認識させることができる。また、装置本体５がずれて装着されている場合は、被検者２自身が表示素子１２の表示画像を見ながら装置本体５の位置を調整することができる。このため、従来のように被検者２が検者から指示を受けて装置本体５の位置を調整する場合に比べて、短時間で調整作業を終えることができる。また、検者は、装置本体５の位置調整に際して、被検者２に指示を出したり、モニターを見ながら位置のずれを確認したりする必要がなくなる。このため、装置本体５の位置調整にかかる検者の業務負担を軽減することができる。また、被検者２が装置本体５の位置を調整し終えるまでの間、他の業務（たとえば、検査項目や検査条件の設定など）を行うことができる。したがって、視覚検査に係る医療業務を効率的に進めることができる。
【００６９】
（２）表示素子１２の表示面１２ａに表示枠３３を設定し、この表示枠３３内に眼球８の画像を表示することにより、装置本体５の位置ずれに伴う眼球８の位置ずれ状態を、表示枠３３内での眼球８の瞳孔位置から被検者２自身に認識させることができる。また、被検者２は、表示枠３３と瞳孔９の位置関係から、表示枠３３内で眼球８の位置がどの方向にどの程度ずれているかを直感的に把握することができる。
【００７０】
（３）表示面１２ａの表示枠３３内にマーク３５を表示することにより、被検者２は、表示枠３３内に表示された瞳孔９とマーク３５の位置関係から、表示枠３３内で眼球８の位置がどの方向にどの程度ずれているかを、より正確に把握することができる。
【００７１】
（４）眼球位置からミラー２０までの光軸１８ａを表示光学系１１と観察光学系１５で共用としている。このため、撮像素子１６が撮像する眼球８の画像を表示素子１２に表示したときに、装置本体５の位置ずれ量をそのままダイレクトに眼球８（瞳孔９）の位置ずれ量に反映させることができる。したがって、被検者２が装置本体５の位置を調整する際に、どの程度調整すればよいかを、表示素子１２に表示された眼球８の画像から正確かつ容易に把握することができる。
【００７２】
＜５．他の実施の形態＞
本実施の形態においては、先の実施の形態と比較して、視覚検査装置１がアライメントモードで動作するときの状態が異なる。すなわち、アライメントモードにおいて、制御部３０は、装置本体５を装着した被検者２に対して、左右の眼球８の画像を片眼ずつ表示する。具体的には、図９に示すように、撮像素子１６Ｌが撮像する左眼８Ｌの画像を左側の表示素子１２Ｌに表示する一方、撮像素子１６Ｒが撮像する右眼８Ｒの画像を右側の表示素子１２Ｒに表示する。
【００７３】
また、制御部３０は、表示素子１２Ｌの表示面１２ａＬに表示枠３３Ｌを設定し、この表示枠３３Ｌ内に左眼８Ｌの画像を表示する。同様に、表示素子１２Ｒの表示面１２ａＲに表示枠３３Ｒを設定し、この表示枠３３Ｒ内に右眼８Ｒの画像を表示する。表示枠３３Ｌは、表示面１２ａＬの中央部に設定され、表示枠３３Ｒは、表示面１２ａＲの中央部に設定されている。左眼用の表示枠３３Ｌは、被検者２に頭部３に装置本体５を正しく装着し、かつ、被検者２が左眼８Ｌで真っ直ぐ前方を見たときに、撮像素子１６Ｌで撮像した左眼８Ｌの瞳孔９Ｌが表示枠３３Ｌの中心部に位置するように設定されている。同様に、右眼用の表示枠３３Ｒは、被検者２に頭部３に装置本体５を正しく装着し、かつ、被検者２が右眼８Ｒで真っ直ぐ前方を見たときに、撮像素子１６Ｒで撮像した右眼８Ｒの瞳孔９Ｒが表示枠３３Ｒの中心部に位置するように設定されている。
【００７４】
この場合も、必要に応じて、眼球８の瞳孔９の位置を合わせるためのマーク３５（図４を参照）を表示枠３３内に表示してもよい。具体的には、表示素子１２Ｌの表示枠３３Ｌの中央部に、左眼８Ｌの瞳孔９Ｌの位置を合わせるためのマーク３５Ｌを表示するとともに、表示素子１２Ｒの表示枠３３Ｒの中央部に、右眼８Ｒの瞳孔９Ｒの位置を合わせるためのマーク３５Ｒを表示してもよい。
【００７５】
上記構成からなる視覚検査装置１においては、視覚検査の開始に先立って、被検者の頭部３に装着した装置本体５の位置調整を次のように行う。
【００７６】
まず、制御部３０は、左側の撮像素子１６Ｌが撮像する左眼８Ｌの画像を表示素子１２Ｌに表示する一方、右側の撮像素子１６Ｒが撮像する右眼８Ｒの画像を表示素子１２Ｒに表示する。このとき、表示素子１２Ｌの表示面１２ａＬに設定した表示枠３３Ｌに左眼８Ｌの画像を表示し、表示素子１２Ｒの表示面１２ａＲに設定した表示枠３３Ｒに右眼８Ｒの画像を表示する。これにより、装置本体５を頭部３に装着した被検者２は、表示素子１２Ｌの表示枠３３Ｌに表示された左眼８Ｌの画像左眼８Ｌで見る一方、表示素子１２Ｒの表示枠３３Ｒに表示された右眼８Ｒの画像を右眼８Ｒで見ることになる。
【００７７】
そうした状況で、検者は、被検者２に対して、左右いずれか一方、たとえば表示素子１２Ｌの表示枠３３Ｌの中心部を左眼８Ｌで注視するように、指示を出す。このとき、表示枠３３Ｌの中心部にマーク３５Ｌを表示している場合は、このマーク３５Ｌを左眼８Ｌで注視するように、指示を出してもよい。これにより、被検者２の左眼８Ｌの視線がまっすぐに前方を向いた状態で固定される。このような固視状態のもとで、検者は、被検者２の左眼８Ｌの瞳孔９Ｌが表示枠３３Ｌのどの部分に表示されているかを被検者２自身に確認してもらう。
【００７８】
次に、制御部３０は、被検者２に対して、表示素子１２Ｒの表示枠３３Ｒの中心部を右眼８Ｒで注視するように、指示を出す。このとき、表示枠３３Ｒの中心部にマーク３５Ｒを表示している場合は、このマーク３５Ｒを右眼８Ｒで注視するように、指示を出してもよい。これにより、被検者２の右眼８Ｒの視線がまっすぐに前方を向いた状態で固定される。このような固視状態のもとで、検者は、被検者２の右眼８Ｒの瞳孔９Ｒが表示枠３３Ｒのどの部分に表示されているかを被検者２自身に確認してもらう。
【００７９】
そして、左眼８Ｌの瞳孔９Ｌが表示枠３３Ｌの中心部からずれていたり、右眼８Ｒの瞳孔９Ｒが表示枠３３Ｒの中心部からずれていたりした場合は、装置本体５を適宜動かしてそのずれを解消するように、被検２者に指示を出す。これにより、被検者２は、たとえば、表示枠３３Ｌに表示された左眼８Ｌの瞳孔９Ｌの位置と表示枠３３Ｒに表示された右眼８Ｒの瞳孔９Ｒの位置が、いずれも表示枠３３Ｌ，３３Ｒ内で上側にずれていた場合は、それと反対側（下側）に装置本体５を動かす。また、表示枠３３Ｌに表示された左眼８Ｌの瞳孔９Ｌの位置と表示枠３３Ｒに表示された右眼８Ｒの瞳孔９Ｒの位置が、いずれも表示枠３３Ｌ，３３Ｒ内で左側にずれていた場合は、被検者２は、それと反対側（右側）に装置本体５を動かす。また、表示枠３３Ｌに表示された左眼８Ｌの瞳孔９Ｌの位置が当該枠内で上側にずれていて、表示枠３３Ｒに表示された右眼８Ｒの瞳孔９Ｒの位置が当該枠内で下側にずれていた場合は、装置本体５の左側を下側、右側を上側に傾けるように、装置本体５を動かす。これにより、装置本体５を適正な位置に調整することができる。
なお、左眼８Ｌの画像を表示素子１２Ｌに表示するときは片方の表示素子１２Ｒを非表示とし、右眼８Ｒの画像を表示素子１２Ｒに表示するときには、片方の表示素子１２Ｌを非表示としてもよい。
【００８０】
＜６．変形例等＞
本発明の技術的範囲は上述した実施の形態に限定されるものではなく、発明の構成要件やその組み合わせによって得られる特定の効果を導き出せる範囲において、種々の変更や改良を加えた形態も含む。
【００８１】
たとえば、上記実施の形態においては、視覚検査装置１の装着具６をベルト１３，１４を用いて構成したが、被検者２の頭部３に装置本体５を装着可能な構成であれば、どのような構成の装着具６を採用してもかまわない。ただし、視覚検査中に装置本体５の位置が動いてしまうと、正しい検査結果が得られなくなる。このため、装着具６の構成としては、被検者２の頭部３に装置本体５をきちんと固定できる構成であることが好ましい。
【００８２】
また、上記実施の形態においては、撮像素子１６を用いて撮像された眼球８の画像をそのまま表示素子１２に表示するとしたが、これに限らず、たとえば、撮像素子１６が撮像した眼球８の画像を模式化して表示素子１２に表示してもよい。眼球８の画像を模式化する具体例としては、その画像に含まれる瞳孔の輪郭を円で表示し、かつ、その円（瞳孔の中心）を十字線で表示したものなどが考えられる。
【００８３】
また、上記実施の形態においては、被検者２が無限遠方視にて視標を見る場合を想定しているが、これに限らず、被検者２が近方視にて視標を見る場合は、そのときの内寄せ量を考慮して、被検者２に近距離の画像を認識させるように各光学系を設定し、その距離に応じて左右の光学系を内側に傾けた構成としてもよい。あるいは、固視標や表示画像を内側に寄せて表示してもよい。
【００８４】
また、上記実施の形態においては、液晶表示素子を用いて表示素子１２を構成するとしたが、本発明はこれに限らず、有機ＥＬ（Electro Luminescence）表示素子を用いてもよい。
【００８５】
また、上記実施の形態においては、表示光学系１１を合計４つのレンズで構成するとともに、観察光学系１５を合計２つのレンズ（そのうちの一つは表示光学系１１と共用）で構成したが、各々の光学系を構成するレンズの個数や形状、光軸方向のレンズ間隔などは、必要に応じて変更可能である。ただし、第２レンズ群２１については、正のパワーを有するレンズと負のパワーを有するレンズを組み合わせて色収差や像倍率を補正するため、複数個のレンズで構成することが好ましい。また、ミラー２０をダイクロイックミラーで構成してもよい。
【００８６】
一例として、表示光学系の他の構成例を図１０および図１１に示す。
図１０においては、表示光学系１１の第２レンズ群２１に属するレンズ２１ｃを、図示しないレンズ移動機構により光軸方向に移動可能とした点が、上記実施の形態と異なっている。この構成を採用した場合は、被検者の視力に合わせて視度を調整することが可能となる。
一方、図１１においては、表示光学系１１の第２レンズ群２１をレンズ（凸レンズ）２１ｄの追加により計４つのレンズ２１ａ〜２１ｄを用いて構成した点と、平面型表示素子１２の表示面１２ａの大きさを小さくした点が、上記実施の形態と異なっている。この構成を採用した場合は、被検者に対して、より鮮明に視標を表示することが可能となる。また、この構成においても、レンズ２１cを光軸方向に移動可能な構成とすることにより、被検者の視力に合わせて視度を調整することが可能となる。
【００８７】
また、本発明は、視覚検査装置として具現化するだけでなく、ヘッドマウント型表示装置（Head Mounted Display）として具現化することも可能である。その場合、ヘッドマウント型表示装置の構成としては、「被検者」を「使用者」に置き換えたものになる。このため、眼球位置には、ヘッドマウント型表示装置を使用する使用者の眼球８が配置される。また、表示素子１２の表示面１２ａには、視標に代えて画像が表示される。表示面１２ａに表示する画像は、特に制限はなく、静止画、動画（ゲームや映画の映像など）のいずれであってもよい。また、表示する画像は、２次元の画像にかぎらず、３次元の画像でもよい。
【００８８】
本発明を適用したヘッドマウント型表示装置によれば、装着具６を用いて装置本体５を使用者の頭部に装着した際に、その装着位置のずれを使用者自身に認識させ、装置本体５の位置調整を行わせることができる。このため、装置本体５を装着した使用者が表示素子１２の画像を見る場合に、それに先立って装置本体５の位置調整を行うことにより、使用者の眼球８と表示素子１２との相対的な位置関係を適正に設定することが可能となる。
【符号の説明】
【００８９】
１…視覚検査装置
２…被検者
３…頭部
５…装置本体
６…装着具
８…眼球
９…瞳孔
１１…表示光学系
１２…表示素子
１２ａ…表示面
１５…観察光学系
１６…撮像素子
３０…制御部
３３…表示枠
３４…固視標
３５…マーク
【図１】
0006549144.tif 000002
【図２】
0006549144.tif 000003
【図３】
0006549144.tif 000004
【図４】
0006549144.tif 000005
【図５】
0006549144.tif 000006
【図６】
0006549144.tif 000007
【図７】
0006549144.tif 000008
【図８】
0006549144.tif 000009
【図９】
0006549144.tif 000010
【図１０】
0006549144.tif 000011
【図１１】
0006549144.tif 000012